(57)【要約】【課題】オフフック検知回路には大きな電流容量と高い絶縁性能とが求められるため、フォトカプラが採用されているが、このフォトカプラは電気部品として汎用的ではないため、部品コストがかかる。【解決手段】通信装置は、外付け電話機に電源を供給する電源供給手段と、前記外付け電話機と通信回線とを接続するか、或いは前記外付け電話機と前記電源供給手段とを接続するように切り替える切替手段と、前記切替手段により前記外付け電話機と前記電源供給手段とが接続されている状態で、前記電源供給手段による電源供給状態の変化に基づいて、前記外付け電話機のオフフックを検出する第１検出手段と、を有することを特徴とする。【選択図】  図１
2019106678.tif 000002
【特許請求の範囲】
【請求項１】
外付け電話機に電源を供給する電源供給手段と、
前記外付け電話機と通信回線とを接続するか、或いは前記外付け電話機と前記電源供給手段とを接続するように切り替える切替手段と、
前記切替手段により前記外付け電話機と前記電源供給手段とが接続されている状態で、前記電源供給手段による電源供給状態の変化に基づいて、前記外付け電話機のオフフックを検出する第１検出手段と、
を有することを特徴とする通信装置。
【請求項２】
前記電源供給状態の変化は、前記外付け電話機に供給する電流の変化であることを特徴とする請求項１に記載の通信装置。
【請求項３】
前記電源供給状態の変化は、前記電源供給手段のスイッチング周波数の変化であることを特徴とする請求項１に記載の通信装置。
【請求項４】
前記切替手段により前記外付け電話機と前記通信回線とが接続されている状態で、前記外付け電話機のオフフックを検出する第２検出手段を、更に有することを特徴とする請求項１乃至３のいずれか１項に記載の通信装置。
【請求項５】
前記第２検出手段はモデムを含むことを特徴とする請求項４に記載の通信装置。
【請求項６】
前記電源供給手段は、ＤＣＤＣ変換手段およびＤＣＤＣ分離手段を含み、前記電源供給状態の変化は、前記ＤＣＤＣ変換手段または前記ＤＣＤＣ分離手段の電流の変化であることを特徴とする請求項２に記載の通信装置。
【請求項７】
前記電源供給手段は、ＤＣＤＣ変換手段およびＤＣＤＣ分離手段を含み、前記電源供給状態の変化は、前記ＤＣＤＣ変換手段または前記ＤＣＤＣ分離手段のスイッチング周波数の変化であることを特徴とする請求項３に記載の通信装置。
【請求項８】
前記電源供給手段は複数のＤＣＤＣ変換手段を含み、前記電源供給状態の変化は、より低い電圧を変換する前記ＤＣＤＣ変換手段の電流の変化であることを特徴とする請求項６に記載の通信装置。
【請求項９】
前記電源供給手段は複数のＤＣＤＣ変換手段を含み、前記電源供給状態の変化は、より低い電圧を変換する前記ＤＣＤＣ変換手段のスイッチング周波数の変化であることを特徴とする請求項７に記載の通信装置。
【請求項１０】
音声通話を行うためのコーデック手段を介して前記モデムに接続されるハンドセットを、更に有することを特徴とする請求項５に記載の通信装置。
【請求項１１】
電源供給手段で外付け電話機に電源を供給する電源供給工程と、
前記外付け電話機と通信回線とを接続するか、或いは前記外付け電話機と前記電源供給手段とを接続するように切り替える切替工程と、
前記切替工程により前記外付け電話機と前記電源供給手段とが接続されている状態で、前記電源供給手段による電源供給状態の変化に基づいて、前記外付け電話機のオフフックを検出する第１検出工程と、
を含むことを特徴とする通信装置の制御方法。
【請求項１２】
電源供給手段で外付け電話機に電源を供給する電源供給工程と、
前記外付け電話機と通信回線とを接続するか、或いは前記外付け電話機と前記電源供給手段とを接続するように切り替える切替工程と、
前記切替工程により前記外付け電話機と前記電源供給手段とが接続されている状態で、前記電源供給手段による電源供給状態の変化に基づいて、前記外付け電話機のオフフックを検出する第１検出工程と、
を含むことを特徴とする通信装置の制御方法における各工程をコンピュータに実行させるためのプログラム。
【発明の詳細な説明】
【技術分野】
【０００１】
本発明は、通信装置とその制御方法、及びプログラムに関する。
【背景技術】
【０００２】
従来、高電圧のかかる電話回線側でオフフック検知／オンフック検知を行っていた。例えば特許文献１では、外付け電話５０を接続可能な電話機接続端子１１の接点１１Ａと、接続切替え手段であるＤＰＳリレー１５との間の通電経路１３Ａに、オフフック検知回路１９が設けられている。
【０００３】
特許文献１では、ＤＰＳリレー１５及びＣＭＬリレー１６が、図１に示す接点位置に切り換えられた場合、通電経路１３Ａ、１３Ｂを介して電話機接続端子１１と回線接続端子１２とが接続され、外付電話５０が電話回線７０に接続される。ここで外付電話５０がオフフック状態になると、電話機接続端子１１と回線接続端子１２との間で閉回路が形成される。この閉回路において、電話回線７０から印加される４８Ｖの電圧により閉回路に流れる電流を、オフフック検知回路１９の電流検知部１９Ａが検知することで、外付電話５０のオフフックが検出される。
【０００４】
電話回線は、規格上、４８Ｖの電圧と、±１２０ｍＡの範囲の電流を供給する電源性能を有する。そのため、接続端子やリレーを介して電話回線に接続される電流検知部が備えるフォトカプラには、±１２０ｍＡの大きな電流容量が要求される。
【０００５】
このようなオフフック検知回路は、電気的に外部の電話回線に接続されるため、雷サージ対策や感電防止などの観点から、一次側(電話回線側)と二次側（ＣＰＵ側）との絶縁性能も要求される。そのため、例えば安全規格であるＩＥＣ６２３６８−１等の認可を取得することが必要となる。
【先行技術文献】
【特許文献】
【０００６】
【特許文献１】特開２０１０−２７８８６４号公報
【発明の概要】
【発明が解決しようとする課題】
【０００７】
このように従来構成において、オフフック検知回路には大きな電流容量と高い絶縁性能とが求められるため、これらを満たすフォトカプラがオフフック検知回路に採用されている。しかしながら、フォトカプラは電気部品として汎用的ではないため、部品コストがかかるという課題があった。
【０００８】
本発明は上記課題に鑑みなされたものであり、通信回線との絶縁性能を考慮せずに、外付け電話機が通信回線と接続されていない状態で、外付け電話機のオフフックを検知する技術を提供することを目的とする。
【課題を解決するための手段】
【０００９】
上記目的を達成するために本発明の一態様に係る通信装置は以下のような構成を備える。即ち、通信装置は、外付け電話機に電源を供給する電源供給手段と、前記外付け電話機と通信回線とを接続するか、或いは前記外付け電話機と前記電源供給手段とを接続するように切り替える切替手段と、前記切替手段により前記外付け電話機と前記電源供給手段とが接続されている状態で、前記電源供給手段による電源供給状態の変化に基づいて、前記外付け電話機のオフフックを検出する第１検出手段と、を有することを特徴とする。
【発明の効果】
【００１０】
本発明によれば、通信回線との絶縁性能を考慮することなく、外付け電話機が通信回線と接続されていない状態で、外付け電話機のオフフックを検知することができる。
【図面の簡単な説明】
【００１１】
【図１】実施形態に係るファクシミリ装置の構成を示すブロック図である。
【図２】第一の実施形態に係る外付け電話機の鳴動状態でのオフフック検知を説明する等価回路図である。
【図３】第一の実施形態に係る外付け電話機の無鳴動状態でのオフフック検知を説明するブロック図である。
【図４】第一の実施形態に係る電源供給回路の変化である増加電流ΔＩやスイッチング周波数変化である増加周波数Δｆの一例を示す図である。
【図５】第二の実施形態に係るハンドセットのオフフック検知を示すブロック図である。
【図６】第三の実施形態に係るファクシミリ装置がスリープ状態に移行する際に実行される処理を説明するフローチャートである。
【図７】第四の実施形態に係るファクシミリ装置がスリープ状態から復帰する際に実行される処理を説明するフローチャートである。
【発明を実施するための形態】
【００１２】
以下、添付図面を参照して本発明の実施形態を詳しく説明する。尚、以下の実施形態は特許請求の範囲に係る本発明を限定するものではなく、また本実施形態で説明されている特徴の組み合わせの全てが本発明の解決手段に必須のものとは限らない。
【００１３】
［第一の実施形態］
まず、図１を参照して、第一の実施形態に係るファクシミリ装置（通信装置）１００の構成例を説明する。
【００１４】
システム・オン・チップ（ＳＯＣ）１０１は、ファクシミリ装置１００全体を制御し、所定の通信回線を用いてファクシミリ通信を制御する。ＳＯＣ１０１はＣＰＵ１０５を含み、メモリ１２９に格納される制御用のコンピュータプログラムを読み出して、ファクシミリ装置１００の動作を制御するための様々な処理を実行する。
【００１５】
ＳＯＣ１０１には、操作パネル１２３、読取部１２６、記録部１２７、インタフェース（ＩＦ）部１２８が接続される。操作パネル１２３は、表示器１２４及びキーボード（ＫＥＹ）類１２５を有するユーザー・インタフェースである。表示器１２４は、ユーザーへの出力インタフェースであり、ファクシミリ装置１００の状態やファクシミリ装置１００の通信に関する表示を行う。キーボード類（ＫＥＹ類）１２５は、ユーザーからの各種の入力を受け付けるボタンやテンキー等を含むキーボードである。
【００１６】
メモリ１２９は、ＳＯＣ１０１のＣＰＵ１０５の主メモリ及びワークエリアとして機能するメモリである。また、メモリ１２９は、ファクシミリ通信に関する画像データや各種情報を一時的に記憶するためのメモリとしても機能する。メモリ１２９に格納されるＳＤＡＡ（シリコン・データ・アクセス・アレンジメント）プログラム１３０は、モデム１０２のＤＳＰ（デジタル・シグナル・プロセッサ）１０８で実行されるプログラムである。ＳＤＡＡプログラム１３０は、ファクシミリ装置１００の起動時に、ＳＯＣ１０１によってメモリ１２９からモデム１０２に転送され、モデム１０２のＲＡＭ１０７に展開された後に、ＤＳＰ１０８で実行される。
【００１７】
読取部１２６は、ファクシミリ装置１００に原稿がセットされると、原稿から画像を読み取り、画像データを生成する。生成された画像データは、通信回線１３１を介して相手側の通信装置にファクシミリ通信で送信されてもよいし、記録部１２７で印刷されても良い。インタフェース（ＩＦ）部１２８は、各種の外部の情報機器が接続する場合のインタフェースとして機能する。
【００１８】
モデム１０２は、ＳＯＣ１０１に接続されており、ＳＯＣ１０１による制御に基づいて動作し、オフフック検出手段としても機能している。モデム１０２は、ファクシミリ通信の際に実行される、読取部１２６で読み取られた画像データの変調処理と、通信回線１３１を介して受信した信号の復調処理を行う。またモデム１０２は、絶縁素子１０３を介してＳＤＡＡ１０４と接続される。モデム１０２は、ＲＯＭ１０６、ＲＡＭ１０７、ＤＳＰ１０８、レジスタ１０９を含む。
【００１９】
ＲＯＭ１０６は、ＲＡＭ１０７に展開され、ＤＳＰ１０８に実行されるプログラムを格納している。ＲＡＭ１０７は、ＳＯＣ１０１から転送されるＳＤＡＡプログラム１３０とＲＯＭ１０６に格納されたプログラムとを展開し、ＤＳＰ１０８に実行させるために用いられる。ＤＳＰ１０８は、ＲＡＭ１０７の内容に基づいてモデム１０２の動作を行う。レジスタ１０９は、ＳＤＡＡ１０４の動作状態に関連づいた値を格納、あるいは、ＳＯＣ１０１からの指示を格納するためのレジスタである。
【００２０】
ＳＤＡＡ１０４は、半導体ＮＣＵ（ネットワーク制御ユニット）であり、通信回線１３１と接続され、ファクシミリ装置１００と外部の公衆回線（通信回線）１３１とのインタフェースとして機能する。ＳＤＡＡ１０４は、ファクシミリ通信を行う場合に、回線を接続（捕捉）してその通信を制御するだけでなく、外付け電話機２３０が通信回線１３１を介して相手側装置（相手ＦＡＸ）２２０との間で音声通信を行う場合にも、回線の捕捉を制御する。ＳＤＡＡ１０４は、これらの制御をＳＯＣ１０１の制御に基づいて実行する。ＳＤＡＡ１０４は、回線捕捉部１１０、電圧検知部１１１、電流検知部１１２、ダイアルトーン（ＤＴ）検出部１１３、ＡＣフィルタ１１４を有する。
【００２１】
回線捕捉部１１０は、直流捕捉回路１１５を制御し、直流インピーダンスを調整して回線の直流捕捉を行う。このインピーダンスは、あらかじめ設定された、直流的な電圧に対する電流特性（以下、ＤＣ―ＶＩ特性と呼ぶ）を取得する事により得られる。
【００２２】
電圧検知部１１１は、通信回線１３１の電圧をモニタする。電流検知部１１２は、通信回線１３１の電流をモニタする。ＤＴ検出部１１３は、通信回線１３１のダイアルトーン信号をモニタする。ＡＣフィルタ１１４は、電圧検知部１１１又は電流検知部１１２の前段に接続されて交流（ＡＣ）成分を除去する。電圧検知部１１１又は電流検知部１１２でＤＣ電圧又はＤＣ電流を検知する場合に、ＡＣフィルタ１１４がＡＣ成分を除去することで、直流（ＤＣ）成分の検出精度を高めることができる。
【００２３】
直流捕捉回路１１５は、トランジスタなどの電流源を含むＳＤＡＡ１０４の周辺回路であり、電流源の電流を調整することにより、直流捕捉を行いながら、ＳＤＡＡ１０４の制御で直流インピーダンスの調整を行う。また、直流捕捉回路１１５は、通信回線１３１の開放状態を作り出すことや、選択信号の一種であるダイヤルパルス信号を通信回線１３１に送出するためにも使用される。
【００２４】
受信ＩＦ回路１１６は、通信回線１３１を介してファクシミリ信号などを受信するためのインタフェース回路である。交流インピーダンス整合回路１１７は、例えば、日本の場合は６００オームに、通信中のファクシミリ装置１００の交流インピーダンスを合わせるための整合回路である。
【００２５】
整流回路１１８は、ダイオードブリッジ等を含み、回線からの信号を整流してＳＤＡＡ１０４側の回路へ伝える。ノイズ除去回路１２０は、通信回線１３１からの雷サージ、電磁ノイズなどを抑制し、逆に通信回線１３１を介して、ファクシミリ装置１００のノイズが送出されることを防ぐ。保護素子１１９は、ヒューズ等で構成される電流保護素子である。
【００２６】
ＣＩ検知回路１２１は、通信回線１３１に接続され、通信回線１３１から受信した呼び出し信号（以下、「ＣＩ信号」と呼ぶ）を検知する。ＣＩ検知回路１２１は、通信回線１３１からのＣＩ信号を検知すると、そのことを示すＣＩ検知信号１２２をＳＯＣ１０１に対して送信する。ＳＯＣ１０１は、ＣＩ検知回路１２１から受信したＣＩ検知信号１２２に基づいて、通信回線１３１からＣＩ信号の着信があったか否かを判断することができる。通信回線１３１には、ファクシミリ装置１００に接続された外付け電話機２３０も接続される。
【００２７】
Ｈリレー１４０は、外付け電話機２３０を、電源供給回路１４５あるいは通信回線１３１に接続する。Ｈリレー１４０は、外付け電話機２３０と通信回線１３１とを電気的に接続する接続状態（鳴動状態）と、外付け電話機２３０と電源供給回路１４５とを電気的に接続する切断状態（無鳴動状態）との間の切り替えを行う。Ｈリレー１４０は、ＳＯＣ１０１が出力するＨリレー駆動信号１４１によって制御される。なお、図１に示すように無鳴動状態において、通信回線１３１からファクシミリ装置１００にＣＩ信号が送信されても外付け電話機２３０は鳴動せず、いわゆるファクシミリ装置１００の無鳴動着信状態となる。
【００２８】
電源供給回路１４５は、外付け電話機２３０のオフフック又はオンフックを検知するため、無鳴動状態の外付け電話機２３０に対して電源を供給する。電源供給回路１４５は、無鳴動状態の外付け電話機２３０のオフフックに対応した変化を出力する。
【００２９】
オフフック検知回路１４６は、電源供給回路１４５と接続され、無鳴動状態の外付け電話機２３０のオフフック又はオンフックを検知する。オフフック検知回路１４６は、オフフック時に外付け電話機２３０に流れる電流に起因して発生する、電源供給回路１４５の変化を検知する。また、オフフック検知回路１４６は、外付け電話機２３０のオフフック又はオンフックの検知結果を、フック検知信号１４７によりＳＯＣ１０１へ伝達する。ＳＯＣ１０１は、フック検知信号１４７に基づいて、外付け電話機２３０のオンフック／オフフックを検知することができる。
【００３０】
ＰＳＴＮ２１０は、公衆交換電話網であり、ファクシミリ装置１００に接続可能な通信回線である。相手ＦＡＸ２２０は、ＰＴＳＮ２１０を介して通信回線１３１に接続された、ファクシミリ装置１００または外付け電話機２３０の通信相手となる他の通信装置の一例である。
【００３１】
外付け電話機２３０は、ファクシミリ装置１００に接続可能であり、接続された場合にはＨリレー１４０を介して通信回線１３１に電気的に接続される。また、ＳＤＡＡ１０４は、外付け電話機２３０と電気的に並列に通信回線１３１に接続される。また、外付け電話機２３０は発呼するためのダイアル機能を有し、外付け電話機２３０単独で通話することが可能である。
【００３２】
なお、外付け電話機２３０が鳴動状態にあり、回線補足部１１０が動作していない場合は、通信回線１３１に影響を及ぼさないように、回線捕捉部１１０は回線開放状態に遷移する。この回線開放状態において、モデム１０２は、ＳＯＣ１０１の制御に基づき、ＳＤＡＡ１０４の電圧検知手段１１１により得られた回線上の電圧をモニタし、回線上の電圧値をレジスタ１０９に格納する。これにより回線電圧の変化を検知でき、鳴動状態の外付け電話機２３０のオフフック又はオンフックを検知することができる。
【００３３】
次に、図２を参照して、Ｈリレー１４０が外付け電話機２３０とＰＴＳＮ２１０とを接続する、鳴動状態の場合におけるオフフック検知を説明する。
【００３４】
図２は、実施形態に係る外付け電話機２３０がＰＳＴＮ２１０に接続されている鳴動状態でのオフフック検知を説明する等価回路図である。
【００３５】
ＰＳＴＮ２１０は、等価回路として、４８Ｖの直流電源２１２と回線インピーダンス２１１とで構成される。外付け電話機２３０の内部の等価回路は、オフフック時に閉結するフックスイッチ２３１および閉結時の内部インピーダンス２３２を含む。なお、通信回線１３１には、図１に示すように、ファクシミリ通信を行うためのＳＤＡＡ１０４及びその他の周辺部品が接続されるが、ここでは回線補足部１１０が回線開放状態で、ＳＤＡＡ１０４がオフフック検知に影響しないため省略する。
【００３６】
モデム１０２は、ＳＯＣ１０１の制御に基づき、ＳＤＡＡ１０４の電圧検知部１１１により得られた回線上の電圧１３１に関連付けられた電圧値をモニタし、モニタした電圧値をレジスタ１０９に格納する。
【００３７】
外付け電話機２３０がオンフックの場合は、フックスイッチ２３１が開放状態であり、通信回線１３１には、回線インピーダンス２１１を介して直流電源２１２の４８［Ｖ］の回線電圧２４０が出力される。一方、外付け電話機２３０がオフフックの場合は、フックスイッチ２３１が閉結状態であり、通信回線１３１には、直流電源２１２の４８［Ｖ］を回線インピーダンス２１１と内部インピーダンス２３２で分圧された、回線電圧２４１が出力される。この分圧された回線電圧２４１は、回線インピーダンス２１１をＲ１、内部インピーダンス２３２をＲ２とすると、４８×（Ｒ２÷（Ｒ１＋Ｒ２））［Ｖ］の電圧値を示す。
【００３８】
したがって、モデム１０２が、この回線電圧２４０と回線電圧２４１との間の変化に対応する電圧値の変化を検知することで、鳴動状態の外付け電話機２３０のオフフック又はオンフックを検知することが可能となる。
【００３９】
次に、図３を参照して、Ｈリレー１４０が外付け電話機２３０と電源供給回路１４５とを接続する、無鳴動状態にある外付け電話機２３０のオフフック検知を説明する。
【００４０】
図３は、実施形態に係る外付け電話機２３０が無鳴動状態のときのオフフック検知を説明するブロック図である。
【００４１】
電源供給回路１４５は、ＤＣＤＣ変換回路４０１及び４０２、並びにＤＣＤＣ分離回路４０３を備える。電源供給回路１４５は、無鳴動状態にある外付け電話機２３０のオフフック又はオンフックを検知するために、外付け電話機２３０に対して電源を供給するための回路である。ＤＣＤＣ変換回路４０１は、５［Ｖ］の供給電源を昇圧し、１２［Ｖ］の昇圧電源４０７をＤＣＤＣ変換回路４０２に供給する。ＤＣＤＣ変換回路４０２は、供給電源である１２［Ｖ］の昇圧電源４０７を昇圧し、２４［Ｖ］の昇圧電源４０６をＤＣＤＣ分離回路４０３に供給する。ＤＣＤＣ分離回路４０３は、供給電源である２４［Ｖ］の昇圧電源４０６を絶縁分離した２４［Ｖ］の電源を生成し、外付け電話機２３０に供給する。ＤＣＤＣ分離回路４０３では、通信回線１３１などの外部より混入する誘導雷が、ユーザーが接触する可能性のある回路へ回り込まないように、トランスなどを用いて、境界線４０４において入力と出力との絶縁分離がなされている。
【００４２】
外付け電話機２３０がオンフックしている場合は、フックスイッチ２３１が開放状態であり、電源ライン４０５は、無負荷となるため電流は流れない。一方、外付け電話機２３０がオフフックしている場合は、フックスイッチ２３１が閉結状態であり、電源ライン４０５には、内部インピーダンス２３２が負荷として接続されるため、オフフック電流が流れることになる。
【００４３】
このようにオンフックしている状態からオフフックしている状態に移行すると、負荷電流が流れるため、ＤＣＤＣ分離回路４０３に流れる電流が増加し（ΔＩ１）、その結果、ＤＣＤＣ変換回路４０１及び４０２に流れる電流も増加（ΔＩ２、ΔＩ３）する。
【００４４】
このように、オフフック状態で流れる電流に起因して生じる電源供給回路１４５の変化（電源供給状態の変化）として、増加電流（ΔＩ１、ΔＩ２、ΔＩ３）をオフフック検知回路１４６が検知する。これにより、無鳴動状態の外付け電話機２３０のオフフックを検知することが可能となる。
【００４５】
あるいは、電源供給回路１４５の変化として、ＤＣＤＣ変換回路４０１若しくは４０２、並びにＤＣＤＣ分離回路４０３の出力電圧を制御するために用いられるスイッチング周波数の増加量（Δｆ１、Δｆ２、Δｆ３）を用いてもよい。
【００４６】
なお、ＤＣＤＣ変換回路は複数でなくてもよく、電源供給回路１４５は１つのＤＣＤＣ変換回路と１つのＤＣＤＣ分離回路を有してよい。その場合は、オフフック検知回路１４６は、ＤＣＤＣ変換回路とＤＣＤＣ分離回路のいずれかの増加電流または増加周波数からオフフック検知を行ってよい。
【００４７】
図４は、電源供給回路１４５の電流の変化である増加電流ΔＩ及びスイッチング周波数の変化である増加周波数Δｆの一例を示す図である。
【００４８】
図４（Ａ）では、オンフック状態とオフフック状態の電流量の変化（６［ｍＡ］→３８［ｍＡ］）を示しており、増加電流ΔＩ４０８（３２［ｍＡ］）は、オフフック状態で流れる電流に起因して生じる電源供給回路１４５の電流の変化量を表す。
【００４９】
同様に、図４（Ｂ）はオフフック状態で流れる電流に起因して生じる電源供給回路１４５のスイッチング周波数の変化（１３［ｋＨｚ］→８９［ｋＨｚ］）と、増加周波数Δｆ４０８（７６［ｋＨｚ］）とを示している。
【００５０】
オフフック検知回路１４６はこの増加電流ΔＩ（３２［ｍＡ］）または増加周波数Δｆ（７６［ｋＨｚ］）によって、外付け電話機２３０のオフフックを検知する。また、オフフック検知回路１４６は、その検知結果に基づき、外付け電話機２３０のオフフック状態またはオンフック状態を示すフック検知信号１４７をＳＯＣ１０１に伝達する。ＳＯＣ１０１は、受信したフック検知信号１４７に基づいて、外付け電話機２３０のフックの状態（オフフックまたはオンフック）を判断することができる。
【００５１】
ここで、オフフックに起因して生じる電源供給回路１４５の変化は、より低い電圧を変換するＤＣＤＣ変換回路４０１の変化（ΔＩ３、Δｆ３）を検知してもよい。これは、内部インピーダンス２３２で消費される電力は一定であり、２つの変換回路で昇圧する電圧の倍率が同程度の場合は、入力の電圧が低いほど電流の増加量が大きくなるためである。この結果、ＤＣＤＣ変換回路４０２よりもＤＣＤＣ変換回路４０１の方が、増加電流の検出感度を上げることができ、オフフック検知回路１４６がオフフックを検出しやすくなる。
【００５２】
同様に、増加電流が大きくなると、出力電圧を制御するために行われるスイッチング動作が頻繁になるため、増加周波数も大きくなる。この結果、ＤＣＤＣ変換回路４０２よりもＤＣＤＣ変換回路４０１の方が、増加周波数の検出感度を上げることができ、オフフック検知回路１４６においてオフフックを検出しやすくなる。
【００５３】
以上説明したように第一の実施形態によれば、通信回線１３１から絶縁されたユーザー側（二次側）回路に、外付け電話機２３０のオフフック検知のためのオフフック検知回路１４６およびモデム１０２を備える。これにより、オフフック検知回路１４６およびモデム１０２に大きい電流容量や高い絶縁性能が要求されず、より小さい電流容量またはＩＥＣ６２３６８−１等の認可を必要としない電気部品を用いることができ、オフフック検知手段の低コスト化が可能となる。
【００５４】
［第二の実施形態］
図１を参照して、第一の実施形態をさらに発展させ、ハンドセット１４３を備える、第二の実施形態に係るファクシミリ装置１００について説明する。なお、第一の実施形態と同様の構成については説明を省略する。
【００５５】
コーデック１４２は、音声通話時に符号化あるいは復号化処理を行うことにより、モデム１０２で扱われる音声デジタル信号とハンドセット１４３で扱われる音声アナログ信号を整合させる。
【００５６】
ハンドセット１４３は、ファクシミリ装置１００に配置されたハンドセットであり、コーデック１４２を介してモデム１０２と接続される。ＳＯＣ１０１の制御により、ハンドセット１４３からモデム１０２及び通信回線１３１等を介して、外部の通信装置との音声通話が可能となる。また、ハンドセット１４３は、メカニカルなフックスイッチを有し、フックスイッチの状態を示すオフフック又はオンフックの検知結果を、フック検知信号１４４としてＳＯＣ１０１へ伝達する。このフック検知信号１４４に基づいて、ＳＯＣ１０１は、ハンドセット１４３のオンフック／オフフック状態を判断することができる。
【００５７】
次に、図５を参照して、ハンドセット１４３のオフフック検知を説明する。
【００５８】
図５は、第二の実施形態に係るハンドセット１４３のオフフックを検知する構成を説明するブロック図である。
【００５９】
コーデック１４２は、インタフェース（Ｉ/Ｆ）３０１、デジタルアナログ変換器であるＤＡＣ３０２、及びアナログデジタル変換器であるＡＤＣ３０３を含む。Ｉ／Ｆ３０１は、コーデック１４２がＰＣＭ通信線３１０を介してモデム１０２とＰＣＭ音声データを送受信するためのインタフェース回路である。
【００６０】
モデム１０２より送信されコーデック１４２が受信したＰＣＭ音声データは、ＤＡＣ３０２でデジタルアナログ変換され、アナログ音声信号として信号線３０８に出力される。また、信号線３０９より入力されたアナログ音声信号は、ＡＤＣ３０３においてアナログデジタル変換され、ＰＣＭ音声データとしてＰＣＭ通信線３１０を介してモデム１０２に出力される。
【００６１】
ハンドセット１４３は、スピーカ３０４とマイク３０５とを有する。スピーカ３０４は、信号線３０８を介してコーデック１４２が出力するアナログ音声信号を出力する。マイク３０５は、ハンドセット１４３から入力されたアナログ音声信号を、通信線３０９を介してコーデック１４２に入力する。また、ハンドセット１４３は、オフフック又はオンフックの検知結果であるフック検知信号１４４を生成するために、ＶＣＣ３０８、メカニカルなフックスイッチ３０７、およびＶＣＣ３０８に接続されたインピーダンス３０６を有する。
【００６２】
ハンドセット１４３がオンフック状態の場合、フックスイッチ３０７が閉結されてフック検知信号１４４がＬＯＷになるが、オフフック状態の場合は、フックスイッチが開放されてフック検知信号１４４がＨＩＧＨになる。フック検知信号１４４は、ＳＯＣ１０１へ伝達され、ＳＯＣ１０１は、フック検知信号１４４に基づいて、ハンドセット１４３におけるフックの状態を判定することができる。
【００６３】
以上説明したように、第二の実施形態によれば、通信回線１３１から絶縁されたユーザー側（二次側）回路に、オフフック検知が可能なハンドセット１４３を備える。これにより、ハンドセット１４３のオフフック検知部に大きい電流容量や高い絶縁性能が要求されず、より小さい電流容量またはＩＥＣ６２３６８−１等の認可を必要としない電気部品を用いることができ、オフフック検知回路の低コスト化が可能となる。
【００６４】
［第三の実施形態］
第三の実施形態では、図６を参照して、第一または第二の実施形態でファクシミリ装置１００がスリープ状態に移行する場合（スリープ移行時）の処理について説明する。
【００６５】
図６は、第三の実施形態に係るファクシミリ装置がスリープ状態に移行する際に実行される処理を説明するフローチャートである。図６のフローチャートで示す処理は、メモリ１２９に展開されたプログラムをＳＯＣ１０１が実行することにより実現される。
【００６６】
Ｓ６０１で、ＳＯＣ１０１は、ファクシミリ装置１００が予め設定されたスリープ移行条件に適合するかどうかを判断する。スリープ移行条件は、ユーザーによってスリープが指示されたことであってもよいし、所定時間ユーザーの操作を受け付けなかったことであってもよい。スリープ移行条件に適合しないとＳＯＣ１０１が判断した場合、ＳＯＣ１０１はＳ６０１の処理を繰り返す。Ｓ６０１でスリープ移行条件に適合するとＳＯＣ１０１が判断した場合、ＳＯＣ１０１は処理をＳ６０２に進める。Ｓ６０２で、ＳＯＣ１０１は、モデム１０２及びＳＤＡＡ１０４の電源供給をオフにする。続いて、ＳＯＣ１０１はＳ６０３に進み、外付け電話機２３０が通信回線１３１へ接続されるよう、すなわち鳴動状態となるようＨリレー１４０を制御し、Ｈリレー１４０への電源供給をオフにする。続いてＳＯＣ１０１はＳ６０４に進み、ＳＯＣ１０１は、外付け電話機２３０と切断されたために動作不要となった電源供給回路１４５及びオフフック検知回路１４６の電源供給をオフにする。続いて、ＳＯＣ１０１はＳ６０５に進み、ＳＯＣ１０１自身をスリープモードに移行させる。
【００６７】
ここで、スリープ移行時には、外付け電話機２３０は鳴動状態であり、外付け電話機２３０への電源は通信回線１３１より供給される。さらに、外付け電話機２３０単独で通話することが可能であり、外付け電話機２３０から発呼する際にファクシミリ装置１００をスリープ復帰させる必要がない。そのため、外付け電話機２３０のフックアップは、スリープ復帰するための要件とはならず、外付け電話機２３０のオフフック検知を行うモデム１０２およびオフフック検知回路１４６の電源をオフにすることができる。
【００６８】
なお、後述するように、ファクシミリ装置１００がハンドセット１４３を備える場合、ハンドセット１４３はフックアップ操作によるフック検知信号１４４を出力し、ファクシミリ装置１００をスリープ復帰させる必要がある。そのため、スリープ状態に移行する場合であっても、図５に示すオフフック検知用の電源であるＶＣＣ３０８はオフにはされない。
【００６９】
以上説明したように、第三の実施形態によれば、外付け電話機２３０は、通信回線１３１から電源を供給され単独で通信することが可能であるため、外付け電話機２３０のオフフック検知部１４６をスリープ状態に遷移させる（停止させる）ことができる。すなわち、スリープ状態では、外付け電話２３０を鳴動状態にし、オフフック検知を行わない。これにより、スリープ状態での消費電力をより小さくすることができる。
【００７０】
［第四の実施形態］
第四の実施形態では、図７を参照し、第一から第三の実施形態の何れかを発展させ、ファクシミリ装置１００がスリープ状態から復帰する場合の処理を説明する。なお、第一から第三の実施形態の何れかと同様の構成については説明を省略する。
【００７１】
図７は、第四の実施形態に係るファクシミリ装置がスリープ状態から復帰する際に実行される処理を説明するフローチャートである。
【００７２】
Ｓ７０１で、ファクシミリ装置１００のいずれかの構成要素は、スリープ復帰要因が発生したかを判断する。例えば、操作パネル１２３がユーザーに操作された場合は操作パネル１２３が、ハンドセット１４３がフックアップされた場合はハンドセット１４３が、または相手ＦＡＸ２２０から着呼した場合はＣＩ検知回路１２１が、スリープ復帰要因の発生を判断する。Ｓ７０１でスリープ復帰要因が発生したといずれかの構成要素が判断した場合、ファクシミリ装置１００はＳ７０２に進む。
【００７３】
Ｓ７０２で、スリープ復帰要因が発生したと判断した構成要素がスリープ復帰用の割り込み信号をＳＯＣ１０１に供給する。Ｓ７０１において操作パネル１２３が操作された場合はその入力信号が、ハンドセット１４３のフックアップ操作があった場合はフック検知信号１４４が、相手ＦＡＸ２２０から着呼した場合はＣＩ検知信号１２２がスリープ復帰用の割り込み信号であってもよい。
【００７４】
Ｓ７０３で、スリープ復帰用の割り込み信号を受信したＳＯＣ１０１は、ＳＯＣ１０１自身のスリープ復帰処理を実行する。ＳＯＣ１０１のスリープ復帰処理が完了した場合、Ｓ７０３でＳＯＣ１０１が動作状態に復帰したと判断された場合、ＳＯＣ１０１はＳ７０４に進む。
【００７５】
Ｓ７０４で、ＳＯＣ１０１は、モデム１０２およびＳＤＡＡ１０４をスリープ状態から復帰させ（電源をオンにする）、続いてＳＯＣ１０１はＳ７０５に処理を進める。Ｓ７０５で、ＳＯＣ１０１は電源供給回路１４５とオフフック検知回路１４６をスリープから復帰させ（電源をオンにする）、Ｓ７０６に処理を進める。Ｓ７０６で、ＳＯＣ１０１はＨリレー１４０をスリープから復帰させ（電源をオンにする）、スリープ復帰処理を終了する。
【００７６】
以上説明したように、第四の実施形態によれば、ファクシミリ装置１００はハンドセット１４３によってもスリープ状態から復帰することができる。
【００７７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７８】
１０１：ＳＯＣ、１０２：モデム、１０４：ＳＤＡＡ、１０７：ＲＡＭ、１０８：ＤＳＰ、１１０：回線捕捉部、１１１：電圧検知部、１１２：電流検知部、１１３：ＤＴ検出手段、１１４：ＡＣフィルタ手段、１１５：直流捕捉回路、１２１：ＣＩ検知回路、１２３：操作パネル、１３０：ＳＤＡＡプログラム、１４０：Ｈリレー、１４２：コーデック、１４３：ハンドセット、１４５：電流供給回路、１４６：オフフック検知回路、２１０：ＰＴＳＮ、２３０：外付け電話機
【図１】
2019106678.tif 000003
【図２】
2019106678.tif 000004
【図３】
2019106678.tif 000005
【図４】
2019106678.tif 000006
【図５】
2019106678.tif 000007
【図６】
2019106678.tif 000008
【図７】
2019106678.tif 000009